(57)【要約】      （修正有）【課題】目的のポイントにコマセカゴの再度の打ち込みを行い、魚体を寄せてのポイント作りの中でコマセ帯と付けエサとの同調性を高める為、棚ポイントに到達と併せてコマセを拡散させて集魚効果を高める事ができるコマセ装置の提供。【解決手段】浮本体４とコマセ本体パイプ１が引張スプリング１ホの接続により連動し、外力要因による魚体１０のアタリでコマセ本体パイプ１の伸張・伸縮運動を誘導する事でコマセの拡散とエサの同調性を高める浮コマセ装置。【選択図】図１
2016019510.tif 000002
【特許請求の範囲】
【請求項１】
本発明は、浮本体設置の係止用リングと、コマセ本体パイプ設置の下部コマセキャップ係止用リングに、引張スプリングを接続する事により機能構成する事を特徴とる、スプリング付き浮コマセ装置の釣針である。
【請求項２】
本発明は、コマセ本体パイプのストッパー用ピン係止に浮本体のストッパーピンを係止する事により機能構成を有する事を特徴とする、請求項１記載のスプリング付き浮コマセ装置の釣針である。
【請求項３】
本発明のコマセ本体パイプの外面設置のスリットは、引張スプリング可動を円滑誘導し、浮本体の連動性を高める事により機能構成を有する事を特徴とする、請求項１・請求項２記載のスプリング付き浮コマセ装置の釣針である。
【請求項４】
本発明のコマセ本体パイプに設置の有孔は、誘い水の挿入により壁面摩擦を抑制し、コマセをコマセ用メッシュ底まで、容易に誘導する事を特徴とする、請求項１・請求項２・請求項３記載のスプリング付き浮コマセ装置の釣針である。
【請求項５】
本発明は、異なる大きさの魚体に適応する為、浮本体・コマセ本体パイプ・引張スプリングを各パーツに組立て・分解し、釣条件に適合する事により機能構成を有する事を特徴とする、請求項１・請求項２・請求項３・請求項４記載のスプリング付き浮コマセ装置の釣針である。
【請求項６】
本発明は、魚体のアタリで、コマセ本体パイプと連動の引張スプリングが可動しコマセの拡散性を増幅させる事により機能構成を有する事を特徴とする、請求項１・請求項２・請求項３・請求項４・請求項５記載のスプリング付き浮コマセ装置の釣針である。
【請求項７】
本発明は、外力の魚体のアタリにより、コマセ本体パイプに接続のストッパーピンを解除し、本装置の裁量によるアタリとアワセをする機能構成を有する事を特徴とする、請求項１・請求項２・請求項３・請求項４・請求項５・請求項６記載のスプリング付き浮コマセ装置の釣針である。
【発明の詳細な説明】
【技術分野】
【０００１】本発明は、魚体（１０）のアタリでコマセ本体パイプ（１）と連動している引張スプリング（１ホ）が伸張・伸縮の増幅運動をし、コマセ本体パイプ（１）に挿入されたコマセをポイント棚で効果的に拡散し、更なるコマセ帯と付けエサの同調性を高める事による、集魚力の増大に繋がる機能構成のスプリング付き浮コマセ装置の釣針（９）に関する。
【背景技術】
【０００２】従来の技術は、目的のポイントにコマセの再度の打ち込みを行い、魚体（１０）を寄せてのポイント作りをしながら、コマセ帯と付けエサとの同調性を高める必要。【０００３】従って、着水時にコマセの拡散性を抑え、更に、目的の棚まで潮の流れに乗って流れるコマセ帯と付けエサとの同調性を高める、最良の流出量の調整を必要。
【特許文献１】
【特許文献２】
【発明の開示】
【発明が解決しようとする課題】
【０００４】従来は、目的のポイントにコマセカゴの再度の打ち込みを行い、魚体（１０）を寄せてのポイント作りの中、棚ポイントに到達する前に拡散し、コマセ帯と付けエサの同調性の低下に課題。【０００５】効果的な拡散による、コマセ帯と付けエサの同調性を高め為には、棚ポイントに到達した時点でカゴ蓋が開き、コマセが撒かれて付けエサと同調する有効な機能を有する発明の課題。【０００６】本発明は、前期の問題の解決として、外力要因による魚体（１０）のアタリで連動させ、引張スプリング（１ホ）の伸張・伸縮運動をおこす事により、潮の流れに乗りながらコマセの拡散性を高め、コマセ帯と付けエサとの同調性を高める事の課題。
【課題を解決するための手段】
【０００７】本発明は、浮本体（４）とコマセ本体パイプ（１）が引張スプリング（１ホ）の接続により連動し、外力要因による魚体（１０）のアタリでコマセ本体パイプ（１）の伸張・伸縮運動を誘導する事による装置の課題を解決。【０００８】本発明は、浮本体（４）とコマセ本体パイプ（１）の連動を有効に機能させる為外力要因による魚体（１０）のアタリで板スプリングのストッパーピン（４イ）を誘導解除する事による装置の課題を解決。【０００９】本発明は、コマセ本体パイプ（１）外面に設置のスプリング用スリット（１ロ）の設置により、引張スプリング（１ホ）の操作性を高め、浮本体（４）との連動性を高める事による装置の課題を解決。【００１０】本発明は、コマセ本体（１）に設置の有孔（１ハ）は、誘い水の挿入により壁面摩擦を抑制し、コマセを適性硬度とし、コマセをコマセ用メッシュ（３ロ）底に適正誘導する事による装置の課題を解決。【００１１】本発明は、異なる大きさの魚体（１０）に適応する為、浮本体（４）・コマセ本体パイプ（１）・引張スプリング（１ホ）を組立て・分解可能なパーツとし、アタリ・アワセを容易にする事による装置の課題を解決。【００１２】本発明は、魚体（１０）のアタリの連動でスプリングの伸張・伸縮運動を起し、コマセ本体パイプ（１）の可動を増幅させる事で、コマセを撒き拡散性を高めて付エサと同調させ、本装置の裁量によるアワセを委ねる事で装置の課題の解決。
【発明の効果】
【００１３】以上のように本発明は、釣り人が釣条件に対し、数種類の強弱を異にする引張スプリング（１ホ）、サイズを異にする浮本体（４）、サイズを異にするコマセ本体パイプの各種パーツの交換により、異なる大きさの魚体（１０）に適応し、釣り人の裁量により、組立て・分解のできる機能構成とした。又、経験則によるアタリとアワセを本装置に委ね、魚体（１０）のアタリによりコマセを適正に撒き、付けエサと同調させる効果。
【発明を実施するための最良の形態】
【００１４】以下、図面を参照して、本発明のスプリング付き浮コマセ装置の釣針についての実施形態を説明する。本発明は、目標の魚体（１０）に対応する為の適合したパーツ選択の必要。二段式の浮本体（４）とコマセ本体パイプ（１）はオモリの機能を有し波のウネリを吸収しながらコマセ本体パイプ（１）の安定性を保ち、アタリに適応する強さの引張スプリング（１ホ）選択の必要。【００１５】前項より、コマセ本体パイプ（１）・浮本体（４）・引張スプリング（１ホ）をパーツとし、容易に組立・分解が出来るような機能構成に即した。
【実施例】
【００１６】本発明の実施例を図面に基づく斜視図で説明する。
図１の本体装置は、魚体（１０）が付けエサに食い付く前の状態を示し、浮本体（４）に設置のストッパーピン（４イ）と、コマセ本体パイプ（１）に設置のストッパー用ピン係止（１イ）で固定し待機の状態。本体装置の材質はプラスチック製とし、スプリングの線材形状は丸線、又は、角線の形状記憶合金製品とし、ストッパーピン（４イ）は、板スプリング製とし、耐食性の強い材質としたい。【００１７】図２は、コマセ本体にコマセを挿入し、浮本体（４）とコマセ本体パイプ（１）を接続セットし、アタリを待つ状態の正面図と背面図【００１８】図３は、本装置に魚体（１０）が付けエサに食付き、ハリ掛りした状態の正面図・背面図【００１９】図４は、コマセ本体（１）と浮本体（４）が接続セットし、アタリを待つ状態の側面図【００２０】図５は、コマセ本体パイプ（１）に設置のスリット（１ロ）とストッパーピン（４イ）を示す平面図【００２１】図６は、コマセ用メッシュ（３ロ）とコマセ本体パイプ（１）と浮本体（４）を示す底面図【００２２】図７は、コマセ本体パイプ（１）の分解斜視図
【図面の簡単な説明】
【００２３】
【図１】  本発明の実施の一形態による本装置の釣針斜視図
【００２４】
【図２】  セット時の正面図・背面図は同図
【００２５】
【図３】  セット解除時の正面図・背面図は同図
【００２６】
【図４】  セット時の左右側面図は同図
【００２７】
【図５】  平面図
【００２８】
【図６】  底面図
【００２９】
【図７】  コマセ本体パイプ詳細斜視図
【符号の説明】
【００３０】  １    コマセ本体パイプ
１イ  ストッパー係止
１ロ  スプリング用スリット
１ハ  有孔
１ホ  引張スプリング
２    上部コマセキャップ
２イ  道糸結束リング
３    下部コマセキャップ
３イ  スプリング係止用リング
３ロ  コマセ用メッシュ
３ハ  ハリス結束リング
４    浮本体
４イ  ストッパーピン
５    サル管
６    道糸
７    ハリス
８    オモリ
９    釣針
１０  魚体
【図１】
2016019510.tif 000003
【図２】
2016019510.tif 000004
【図３】
2016019510.tif 000005
【図４】
2016019510.tif 000006
【図５】
2016019510.tif 000007
【図６】
2016019510.tif 000008
【図７】
2016019510.tif 000009